(57)【要約】      （修正有）【課題】大腿骨等の骨を円弧状に円滑に切断することが可能な骨切断用ブレードを提供する。【解決手段】骨切断用ブレード１は、縁辺の少なくとも一部に鋸刃１１ａが形成された板状部１１を有し、板状部１１は、鋸刃１１ａの刃筋方向と垂直な断面において湾曲している。【選択図】図２
0003136851.tif 000002
【実用新案登録請求の範囲】
【請求項１】
縁辺の少なくとも一部に鋸刃が形成された板状部を有し、
前記板状部は、前記鋸刃の刃筋方向と垂直な断面において湾曲していることを特徴とする骨切断用ブレード。
【請求項２】
前記板状部は長尺状に形成され、
前記鋸刃は、前記板状部の長手方向に延びる縁辺に形成されていることを特徴とする請求項１に記載の骨切断用ブレード。
【請求項３】
前記板状部は、前記鋸刃の刃筋方向と垂直な断面において円弧状に湾曲していることを特徴とする請求項１又は請求項２に記載の骨切断用ブレード。
【請求項４】
前記板状部は、長方形状に形成され、
前記鋸刃は、前記板状部の２つの長辺に形成されていることを特徴とする請求項１から請求項３までの何れか一項に記載の骨切断用ブレード。
【考案の詳細な説明】
【技術分野】
【０００１】
本考案は、大腿骨等の骨を円弧状に切断するための骨切断用ブレードに関する。
【背景技術】
【０００２】
大腿骨頭壊死などの股関節の病気に対する治療には湾曲内反骨切り術が用いられている。この湾曲内反骨切り術は、通常、大腿骨の転子より外側部分を円弧状に切断し、骨頭側部分の円弧状の切断面を大腿骨幹部側の円弧状の切断面に対して所定位置までスライドさせ、スライド後、大腿骨頭側部分を大腿骨基部に対してスクリューなどで固定することにより行われている。
【０００３】
特許文献１には、上記湾曲内反骨切り術における大腿骨の骨切りを円滑に行うための骨切りガイドについて記載されている。この骨切りガイドは、骨切断用のノコギリ刃をガイドするための円弧状の孔部と、固定部材を挿入するための孔とを有して構成される。この骨切りガイドを用いれば、骨切断用ブレードが円弧状の孔部により案内されるため、簡単な操作で大腿骨を骨切りすることができる。尚、骨切断用ブレードとしては、例えば、特許文献２に記載のものが知られている。特許文献２に記載されているように、従来のブレードは、平板状に構成され、カッティングエッジ（切削作業部）に患部を切削するための鋸刃が形成されている。
【０００４】
【特許文献１】特開２００７−２９６５７号公報
【特許文献２】特開２００６−８１６１１号公報
【考案の開示】
【考案が解決しようとする課題】
【０００５】
しかしながら、特許文献１に記載されているような骨切りガイド、及び、特許文献２に記載されているような従来の骨切断用ブレードを用いて大腿骨を骨切りする場合においては、ガイドの誘導にブレードが付いてこない現象が発生しうることが本願考案者により知見されている。この現象は、例えば、骨切り半径を小さくした場合に特に顕著に発生する。この場合、ブレードが、滑らかな円弧を描いて進行せず、円滑な骨切りが妨げられてしまうため問題となる。
【０００６】
本考案は、上記実情に鑑みることにより、大腿骨等の骨を円弧状に円滑に切断することが可能な骨切断用ブレードを提供することを目的とする。
【課題を解決するための手段及び効果】
【０００７】
本考案は、大腿骨等の骨を円弧状に切断するための骨切断用ブレードに関する。
そして、本考案に係る骨切断用ブレードは、上記目的を達成するために以下のようないくつかの特徴を有している。すなわち、本考案の骨切断用ブレードは、以下の特徴を単独で、若しくは、適宜組み合わせて備えている。
【０００８】
本考案に係る骨切断用ブレードにおける第１の特徴は、縁辺の少なくとも一部に鋸刃が形成された板状部を有し、前記板状部は、前記鋸刃の刃筋方向と垂直な断面において湾曲していることである。
【０００９】
この構成によると、鋸刃の刃筋方向と略平行に骨切断用ブレードを往復動作させながら、鋸刃を骨に当接させることで当該骨が切断されることになるが、鋸刃が形成されている板状部が刃筋方向と直交する方向において湾曲しているため、当該鋸刃が骨に直線的に侵入していくことを抑制できる。その結果、円弧状のガイドを用いて骨を円弧状に切断する場合、当該円弧状のガイドへの引っ掛かりを抑制できる。したがって、円弧状のガイドに誘導され易くなるので、大腿骨等の骨を円弧状に円滑に切断することが可能になる。尚、鋸刃の刃筋方向とは、鋸刃が連続する方向を意味する。
【００１０】
また、本考案に係る骨切断用ブレードにおける第２の特徴は、前記板状部は長尺状に形成され、前記鋸刃は、前記板状部の長手方向に延びる縁辺に形成されていることである。
【００１１】
この構成によると、板状部が長尺状に形成されているので、鋸刃を板状部の縁辺におけるより長い範囲に形成することができる。これにより、往復動作のストロークを長くすることができ、切断が容易になる。更に、湾曲する方向における板状部の幅が鋸刃の長さに比べて狭くなるように構成できる。これにより、円弧状のガイドへの引っ掛かりをより確実に抑制することができる。また、板状部の幅が狭くなることにより、往復動作時において、板状部の表面と骨との摩擦が少なくなるため、切断に要する力が少なくなり、切断が容易になる。
【００１２】
また、本考案に係る骨切断用ブレードにおける第３の特徴は、前記板状部は、前記鋸刃の刃筋方向と垂直な断面において円弧状に湾曲していることである。
【００１３】
この構成によると、前記板状部の円弧形状と同じ曲率半径でブレードを案内するガイド部を有する骨切りガイドを用いて骨を切断する場合、切断時におけるブレードの引っ掛かりを顕著に抑制することができる。これにより、更に円滑に骨を切断することが可能になる。
【００１４】
また、本考案に係る骨切断用ブレードにおける第４の特徴は、前記板状部は、長方形状に形成され、前記鋸刃は、前記板状部の２つの長辺に形成されていることである。
【００１５】
この構成によると、長方形状の板状部における一の長辺に形成された鋸刃を利用して骨を切断することができるとともに、他の長辺の形成された鋸刃を利用して骨を切断することもできる。したがって、ブレードの向きを変えることなく、２方向に骨を切断することが可能になる。
【考案を実施するための最良の形態】
【００１６】
以下、本考案を実施するための最良の形態について図面を参照しつつ説明する。
【００１７】
図１は、本考案の第１実施形態に係る骨切断用ブレードが往復駆動式電動切断装置の装置本体に取り付けられた状態を示す模式図である。
【００１８】
第１実施形態に係る骨切断用ブレード１（以下、ブレード１と称する）は、往復駆動式電動切断装置１００に用いられる交換可能なブレードである。図１に示すように、ブレード１は、往復駆動式電動切断装置１００の装置本体２のブレード取付用のアタッチメント３に端部を挟持されて当該装置本体２に取り付けらる。装置本体２は、切断作業を行う者が握り易いように形成されたグリップ部４を備えており、当該グリップ部４におけるアタッチメント３近傍部にトリガー５が設けられている。このトリガー５を引くことによりブレード１が前後に往復駆動される。尚、図１においてブレード１が往復駆動される方向を矢印Ｘで示している。
【００１９】
図２は、図１に示す第１実施形態に係るブレード１を示す正面図である。
図２に示すように、ブレード１は、略長方形状に形成された板状部１１と、当該板状部１１の長手方向端部から延出する板状の取付しろ部１２と、を一体的に有する板状部材として構成される。尚、ブレード１の厚さは、約０．６ｍｍである。
【００２０】
板状部１１は、４つの角部が円弧状に形成された略長方形状に形成されており、当該長方形の一の長辺をなす縁辺に鋸刃１１ａが形成されている。鋸刃１１ａは、板状部１１における取付しろ部１２とは逆側の端部から当該板状部１１の長手方向における略中央部まで形成されている。尚、板状部１１は、長辺の長さが約７３ｍｍ、短辺の長さが約１５ｍｍとして形成され、鋸刃１１ａは、板状部１１の端部近傍から約４４ｍｍ延びている。
【００２１】
取付しろ部１２は、平板状に形成されて、長手方向の中間部において当該長手方向と垂直方向に突出する突出部１２ａを有している。そして、図１で示すように、この取付しろ部１２が、往復駆動式電動切断装置１００のアタッチメント３に挿入されて、当該アタッチメント３に挟持されることで、ブレード１が装置本体２に取り付けられる。尚、突出部１２ａがアタッチメント３の内部で係合することで、切断作業時にブレード１がアタッチメント３から抜けることが防止される。
【００２２】
図３は、図２に示す骨切断用ブレードを鋸刃１１ａ側（矢印Ａ方向）から見た図である。また、図４は、図２に示す骨切断用ブレードのＹ−Ｙ断面矢視図である。尚、図４に示す断面は板状部１１の長手方向と垂直な断面である。
【００２３】
図３及び図４に示すように、板状部１１は、長手方向と垂直な断面において円弧状に湾曲して形成されている。即ち、鋸刃１１ａの刃筋方向は、長手方向と平行であるので、板状部１１は、当該刃筋方向と垂直な断面が円弧状に湾曲して形成されている。また、板状部１１は、長手方向の一端から他端まで、当該長手方向と垂直な断面の形状が同じ曲率半径の円弧形状となるように形成されている。
【００２４】
図４に示す板状部１１の断面円弧形状の曲率半径は、骨切り半径に合わせて設計される。即ち、所定の骨切り半径ｒで大腿骨等の骨を切断する場合は、板状部１１の前記断面円弧形状の曲率半径が当該所定の骨切り半径ｒと同じになるように構成することが望ましい。尚、本実施形態に係る板状部１１においては、当該断面円弧形状の曲率半径は約４０ｍｍである。
【００２５】
図９は、ブレード１により骨を切断する状態を示す図である。図９に示すように、骨２００には、例えば、当該骨２００に形成された固定用孔に固定用のピン２０２を差し込むことで、骨切りガイド２０１が固定される。尚、ワイヤー等により、当該骨切りガイド２０１を骨２００に対して固定してもよい。そして、骨切りガイド２０１の縁部において凹状に形成された円弧面であるガイド面２０１ａにブレード１の凸状に湾曲した面を当接させながらブレード１の長手方向に往復駆動させて、ガイド面２０１ａに沿うようにブレード１を移動させる。これにより、骨２００が円弧状に切断される。尚、ブレード１は、当該ブレード１の断面円弧形状の曲率半径と、ガイド面２０１ａの円弧形状の曲率半径とが同じになるように形成されている。
【００２６】
以上、説明したように、ブレード１は、縁辺の一部に鋸刃１１ａが形成された板状部１１を有している。そして、板状部１１は、鋸刃１１ａの刃筋方向と垂直な断面において湾曲している。
【００２７】
この構成によると、鋸刃１１ａの刃筋方向と略平行にブレード１を往復動作させながら、鋸刃１１ａを骨に当接させることで当該骨が切断されることになるが、鋸刃１１ａが形成されている板状部１１が刃筋方向と直交する方向において湾曲しているため、直線的に当該鋸刃１１ａが骨に侵入していくことを抑制できる。その結果、円弧状のガイド面２０１ａを用いて骨を円弧状に切断する場合、当該円弧状のガイド面２０１ａへの引っ掛かりを抑制できる。したがって、円弧状のガイド面２０１ａに沿って誘導され易くなるので、大腿骨等の骨を円弧状に円滑に切断することが可能になる。
【００２８】
また、板状部１１は略長方形状として長尺状に形成されている。そして、鋸刃１１ａは、板状部１１の長手方向に延びる縁辺に形成されている。
【００２９】
この構成によると、板状部１１が長尺状に形成されているので、鋸刃１１ａを板状部１１の縁辺におけるより長い範囲に形成することができる。これにより、往復駆動式電動切断装置１００によるブレード１の往復動作のストロークを長くすることができ、切断が容易になる。
【００３０】
更に、湾曲する方向における板状部１１の幅、即ち、刃筋方向と直交する方向における幅が、鋸刃１１ａの長さに比べて狭くなるように構成できる。これにより、円弧状のガイド面２０１ａへの引っ掛かりをより確実に抑制することができる。また、板状部１１の幅は、約１５ｍｍと狭いので、往復動作時において、板状部１１の表面と骨との摩擦、及び、板状部１１とガイド面２０１ａとの摩擦が少なくなるため、切断に要する力が少なくなり、切断が容易になる。
【００３１】
尚、板状部１１の幅は、板状部１１の断面円弧形状の曲率半径に基づいて決定することが望ましく、特に、板状部１１の幅が曲率半径の１／３〜１／２の範囲内であることが望ましい。ブレード１の剛性を骨の切断が可能な程度に保つとともに、骨との摩擦面の面積を減少させることができるからである。
【００３２】
また、板状部１１は、鋸刃１１ａの刃筋方向と垂直な断面において円弧状に湾曲しているので、同じ曲率半径で当該ブレード１を案内できるガイド面２０１ａを有する骨切りガイド２０１を用いて骨を切断する場合、切断時におけるブレード１の引っ掛かりを顕著に抑制することができる。これにより、更に円滑に骨を切断することが可能になる。
【００３３】
尚、必ずしも板状部が円弧状に湾曲している場合に限らず、円弧以外の滑らかな曲面をなすように湾曲したものであってもよい。
【００３４】
また、長方形状に形成された板状部１１の角部が、鋭利な角部ではなく、滑らかな曲面として形成されているので、骨切断時において、板状部１１の角部で意図しない部分を傷つけることを防止できる。
【００３５】
尚、第１実施形態に係るブレード１は、以下のように変形して実施することができる。図５は、第１実施形態の変形例に係るブレードを示す正面図である。
【００３６】
図５に示すように、変形例に係るブレードにおいては、鋸刃１１ｂが、板状部１１における直線状の縁辺の一端から他端近傍部まで形成されている。
【００３７】
この構成によると、鋸刃１１ｂが板状部１１の直線状の縁辺における長い範囲に形成されているので、切断時におけるブレードの往復動作のストロークを長くすることができ、切断が容易になる。尚、板状部１１の一端から他端まで鋸刃を形成した場合、最も往復動作のストロークを長くできるので、有効である。
【００３８】
次に、第２実施形態に係る骨切断用ブレードについて説明する。図６は、第２実施形態に係る骨切断用ブレードを示す正面図である。
【００３９】
第２実施形態に係る骨切断用ブレード２０（以下、ブレード２０と称する）は、鋸刃が板状部の二辺に形成されている点で第１実施形態に係るブレード１と異なっている。その他の部分は、第１実施形態に係るブレード１と同様であり、同一部分には、同一符号を付し説明を省略する。
【００４０】
図６に示すように、第２実施形態に係るブレード２０は、第１実施形態の板状部１１と同様に湾曲して形成された板状部２１を有する。長方形状の板状部２１の２つの長辺には、それぞれ鋸刃２１ａおよび鋸刃２１ｂが対称的に形成されている。
【００４１】
この構成によると、長方形状の板状部２１における一の長辺に形成された鋸刃２１ａを利用して、図６における矢印Ｂ１方向に向かって骨を切断することができるとともに、他の長辺の形成された鋸刃２１ｂを利用して、図６における矢印Ｂ２方向に向かって骨を切断することもできる。したがって、ブレード２０の向きを変えることなく、２方向に骨を切断することが可能になる。これにより、効率的に骨の切断を行うことができる。
【００４２】
尚、第２実施形態に係るブレード２０は、以下のように変形して実施することができる。図７は、第２実施形態の変形例に係るブレードを示す正面図である。
【００４３】
図７に示すように、変形例に係るブレードにおいては、鋸刃２２ａ・２２ｂが、板状部２１における直線状の縁辺の一端から他端近傍部まで形成されているので、切断時におけるブレードの往復動作のストロークを長くすることができ、切断が容易になる。
【００４４】
以上、本考案の実施形態について説明したが、本考案は上述の実施の形態に限られるものではなく、特許請求の範囲に記載した限りにおいて様々に変更して実施することができるものである。
【００４５】
例えば、図８に変形例に係るブレード３０の正面図を示すように、板状部３１を先端側に近づくほど幅が狭くなるように構成することができる。尚、ブレード３０の板状部３１は上述した実施形態に係るブレードと同様に、鋸刃３１ａと垂直方向の断面において湾曲して形成されている。
【００４６】
このように構成することで、ブレード３０の先端側に形成された鋸刃３１ａ近傍部において、切断の際に骨と接触する面の面積を減少させることができるので、切断が容易になる。更に、大きな曲げモーメントが作用し易い根元側においては、幅が広く構成されているため、ブレード３０が撓むことを抑制できる。
【図面の簡単な説明】
【００４７】
【図１】本考案の第１実施形態に係る骨切断用ブレードが往復駆動式電動切断装置本体に取り付けられた状態を示す模式図である。
【図２】第１実施形態に係る骨切断用ブレードを示す正面図である。
【図３】図２に示す骨切断用ブレードを鋸刃側から見た図である。
【図４】図２に示す骨切断用ブレードのＹ−Ｙ断面矢視図である。
【図５】第１実施形態の変形例に係るブレードを示す正面図である。
【図６】第２実施形態に係る骨切断用ブレードを示す正面図である。
【図７】第２実施形態の変形例に係るブレードを示す正面図である。
【図８】変形例に係る骨切断用ブレードの正面図である。
【図９】骨切断ブレードにより骨を切断する状態を示す図である。
【符号の説明】
【００４８】
１  骨切断用ブレード
１１  板状部
１１ａ、１１ｂ  鋸刃
１２  取付しろ部
２１  板状部
２１ａ、２１ｂ  鋸刃
３１  板状部
３１ａ  鋸刃
【図１】
0003136851.tif 000003
【図２】
0003136851.tif 000004
【図３】
0003136851.tif 000005
【図４】
0003136851.tif 000006
【図５】
0003136851.tif 000007
【図６】
0003136851.tif 000008
【図７】
0003136851.tif 000009
【図８】
0003136851.tif 000010
【図９】
0003136851.tif 000011